(57)【要約】【課題】最も物体側のレンズのレンズ面をカシメる構造のレンズユニットにおいて、高圧洗浄の場合でも、カシメ構造を適切に保持できる技術を提供する。【解決手段】鏡筒３は、シール部材７よりも物体側Ｌ１で第１レンズ２１の外周面２１１を囲む第１レンズ保持用筒部３１と、第１レンズ保持用筒部３１の物体側Ｌ１の端部で第１レンズ２１の物体側端部２１２を物体側Ｌ１から被さって第１レンズ２１を保持するカシメ部３８と、を備える。カシメ部３８は、先端部分３８１から切り込まれた排水機能を有するＶ溝８０を有する。Ｖ溝８０では外周端部２１２の一部（露出領域２１２ａ）が露出する。【選択図】図３
2020030386.tif 000002
【特許請求の範囲】
【請求項１】
複数のレンズと、
前記複数のレンズを収容した樹脂製の鏡筒と、
前記複数のレンズのうち最も物体側に位置する第１レンズと前記鏡筒との間に介在するシール部材と、
を有し、
前記鏡筒は、前記シール部材よりも物体側で前記第１レンズの外周面を囲む第１レンズ保持用筒部と、前記第１レンズ保持用筒部の物体側の端部で前記第１レンズの物体側端部を物体側から被さって前記第１レンズを保持するカシメ部と、を備え、
前記カシメ部は、外周端部が露出するように切り欠かれた排水機構を備えていることを特徴とするレンズユニット。
【請求項２】
前記排水機構は、前記第１レンズの外周面よりも径方向内側で形成されていることを特徴とする請求項１に記載のレンズユニット。
【請求項３】
前記排水機構は、前記カシメ部の先端部分に形成されていることを特徴とする請求項１または２に記載のレンズユニット。
【請求項４】
前記排水機構は、光軸方向と直交する方向から見たとき、前記カシメ部のカシメ領域の径方向半分以上の幅を有して形成されていることを特徴とする請求項１から３までのいずれかに記載のレンズユニット。
【請求項５】
前記カシメ部が被さる前記第１レンズの物体側端部は、前記第１レンズの物体側レンズ面の外周側端部であることを特徴とする請求項１から４までのいずれかに記載のレンズユニット。
【請求項６】
前記排水機構は、カシメ部の先端部分から径方向の外側に向かって切り込まれた溝であることを特徴とする徴とする請求項１から５までのいずれかに記載のレンズユニット。
【請求項７】
前記排水機構は複数形成されており、隣り合う前記排水機構の周方向の位置関係が９０度以下であることを特徴とする請求項１から６までのいずれかに記載のレンズユニット。
【発明の詳細な説明】
【技術分野】
【０００１】
本発明は、レンズユニットに係り、例えば、複数のレンズとそれらを保持する鏡筒とを備えるレンズユニットに関する。
【背景技術】
【０００２】
複数のレンズが鏡筒の内部に配置され保持されるレンズユニットにおいて、レンズユニットの光学設計や機構設計の制約から、最も物体側の第１レンズを固定するために、その物体側レンズ面をカシメる構造が知られている（例えば特許文献１参照）。特許文献１に開示の技術では、第１レンズを保持する第１レンズ保持用筒部に、その外周面と第１レンズ保持用筒部の外周面とを連通させる貫通部を設けている。貫通部は、第１レンズに取りつけられるシール部材（Ｏリング等）よりも物体側において横方向に抜けるように形成されており、この貫通部によって、第１レンズとカシメ部との間から第１レンズの外周面と第１レンズ保持用筒部との間に水が浸入しても、シール部材より物体側で浸入した水を排出することができる。
【先行技術文献】
【特許文献】
【０００３】
【特許文献１】特開２０１５−２１０３３３号公報
【発明の概要】
【発明が解決しようとする課題】
【０００４】
ところで、この種のカシメ構造を有するレンズユニットが車両に搭載された場合に、車両が高圧洗浄されることを想定する必要がある。第１レンズの外周部分に段部を設けてカシメる構造に比べて、外周部分を直接カシメる構造の場合、高圧水流が第１レンズとカシメ部の間に浸入しやすい構造となる。このため、ある圧力以上の高圧水流がカシメ部に当たるとカシメ部が膨らみ、すなわち第１レンズとカシメ部との間の隙間が広がり、水流がレンズ内部に浸入しやすくなって、最悪の場合、Ｏリング等のシール部材の防水を破ってレンズ内部に浸水が発生するおそれがある。一般に、通常行われている熱カシメでは、カシメ後にバックラッシュが発生するため第１レンズとカシメ部との間には必ず隙間ができてしまう。したがって、第１レンズの物体側レンズ面を直接カシメることは、高圧洗浄のような条件を想定した場合に不利になりやすい。しかし、レンズユニットの小型化・高性能化の要望が高まり、それら要望を実現するには第１レンズの物体側レンズ面を直接カシメるレンズユニットが求められ、したがって、そのようなカシメ構造のレンズニットにおいても高圧洗浄に耐えうる技術が必要になった。
【０００５】
本発明は、上記の状況に鑑みなされたものであり、その目的は、複数のレンズとそれらを保持する鏡筒とを備えるレンズユニットであって、最も物体側のレンズのレンズ面をカシメる構造において、高圧洗浄の場合でも、カシメ構造を適切に保持できる技術を提供することにある。
【課題を解決するための手段】
【０００６】
本発明のレンズユニットは、複数のレンズと、前記複数のレンズを収容した樹脂製の鏡筒と、前記複数のレンズのうち最も物体側に位置する第１レンズと前記鏡筒との間に介在するシール部材と、を有し、前記鏡筒は、前記シール部材よりも物体側で前記第１レンズの外周面を囲む第１レンズ保持用筒部と、前記第１レンズ保持用筒部の物体側の端部で前記第１レンズの物体側端部を物体側から被さって前記第１レンズを保持するカシメ部と、を備え、前記カシメ部は、外周端部が露出するように切り欠かれた排水機構を備えている。このような構成により、高圧洗浄の場合であっても、カシメ構造が破壊させることなく適切に保持することができ、その結果、所望の防水性能を維持することができる。すなわち、第１レンズの物体側端部とカシメ部との間、すなわち、カシメ部が覆い被さり押さえている物体側レンズ面の外縁領域に浸入した高圧水流は、排水機構から積極的に排出される。このため、第１レンズの物体側端部とカシメ部との間において水圧が高まることを抑制でき、水圧によってカシメ部が破損してしまうことを抑制できる。
【０００７】
前記排水機構は、前記第１レンズの外周面よりも径方向内側で形成されてもよい。第１レンズの物体側端部とカシメ部との間に浸入した高圧水流が、第１レンズの外周面（すなわちレンズ側面）と第１レンズ保持部用筒部との間に浸入することを抑制することができる。
【０００８】
前記排水機構は、前記カシメ部の先端部分に形成されてもよい。第１レンズの物体側端部とカシメ部との間に浸入した高圧水流によって、カシメ部は、カシメ部において厚みの薄い先端部分から破損（めくれあがる）してしまう。しかし、排水機構をカシメ部の先端部分に形成することで、第１レンズの物体側端部とカシメ部の特に先端部分の間において水圧が低く抑えられるため、水圧によってカシメ部が破損してしまうことを効果的に抑制できる。
【０００９】
前記排水機構は、光軸方向と直交する方向から見たとき、前記カシメ部のカシメ領域の径方向半分以上の幅を有して形成されてもよい。すなわち、物体側から見たとき、排水機構が、カシメ部が押さえている領域（カシメ領域）の径方向半分以上の幅でもって形成されている第１レンズの物体側端部とカシメ部との間に浸入した高圧水流を更に積極的に排出できる。このため、第１レンズの物体側端部とカシメ部との間において水圧を低く抑えることができるので、水圧によってカシメ部が破損されることを更に抑制できる。
【００１０】
前記カシメ部が被さる前記第１レンズの物体側端部は、前記第１レンズの物体側レンズ面の外周側端部であってよい。直接レンズ面をカシメる構造の場合、カシメ部の先端部分とレンズ面との境界に形成される袋小路形状において高圧水の影響を受けやすく、水の浸入が起きやすいため、排水機構を設けることで、高圧水の影響を抑制できる。
【００１１】
前記排水機構は、カシメ部の先端部分から径方向の外側に向かって切り込まれた溝であってもよい。溝としては、例えば、Ｖ溝やＵ字溝がある。また、形成位置によって異なる形状の溝でもよい。
【００１２】
前記排水機構は複数形成されており、隣り合う前記排水機構の周方向の位置関係が９０度以下であってもよい。言い換えると、前記排水機構は４箇所以上に９０度以下の間隔で形成されている。例えば、４箇所の場合、Ｖ溝８０は９０度間隔で形成されている。５箇所の場合、７２度間隔で形成されてもよいし、４箇所を９０度間隔で形成し、残りの１箇所を任意の場所に形成してもよい。
【発明の効果】
【００１３】
本発明によると、複数のレンズとそれらを保持する鏡筒とを備えるレンズユニットであって、最も物体側のレンズのレンズ面をカシメる構造において、排水構造として機能する切欠き構造を形成したことで、カシメられたレンズの物体側端部とカシメ部との間、すなわち、カシメ部が覆い被さり押さえている物体側レンズ面の外縁領域に浸入した高圧水流を積極的に排出でき、高圧洗浄の場合でも、カシメ構造を適切に維持することができる。
【図面の簡単な説明】
【００１４】
【図１】実施形態に係る、レンズユニットの全体を示す斜視図である。
【図２】実施形態に係る、レンズユニットの断面斜視図である。
【図３】実施形態に係る、レンズユニットの物体側から見た図である。
【図４】実施形態に係る、鏡筒の一部斜視図である。
【図５】実施形態に係る、第１レンズがカシメ部によりカシメられている領域を拡大し示した断面図である。
【図６】実施形態の変形例に係る、排水機構の例を示した図である。
【発明を実施するための形態】
【００１５】
以下、発明を実施するための形態（以下、「実施形態」という）を、図面を参照しつつ説明する。図１は本実施形態に係るレンズユニット１の物体側Ｌ１から見た斜視図である。図２はレンズユニット１の縦断面斜視図である。図３はレンズユニット１の平面図（物体側Ｌ１から見た図）である。図４は、鏡筒３の一部斜視図であり、主に物体側Ｌ１の領域を示している。
【００１６】
図示のように、レンズユニット１は、複数のレンズから構成するレンズ群２と、レンズ群２を収容する鏡筒３とを備える。鏡筒３は、いわゆるレンズホルダとケースが一体となった形状を呈している。
【００１７】
（レンズの構成）
レンズ群２は、各々、周端縁が円形である円盤状をしており、同軸に並べて配置されており、全体で広角レンズ機能を実現している。具体的には、例えば図２に示すように、レンズ群２は、物体側Ｌ１から順に、第１レンズ２１、第２レンズ２２、第３レンズ２３、第４レンズ２４、第５レンズ２５とから構成されている。第４レンズ２４と第５レンズ２５は接合されており、接合レンズ２６を形成している。
【００１８】
接合レンズ２６において、第５レンズ２５は正のパワーを有するレンズからなり、第４レンズ２４は負のパワーを有するレンズからなる。また、第３レンズ２３は正のパワーを有するレンズからなり、第１レンズ２１および第２レンズ２２は負のパワーを有するレンズからなる。
【００１９】
第４レンズ２４と第３レンズ２３の間に絞りが配置され、第３レンズ２３と第２レンズ２２の間に遮光板が配置されている。また、像側Ｌ２の端に配置されている接合レンズ２６よりも像側Ｌ２の開口３６には、赤外線カットフィルタ９が開口３６を塞ぐように配置されている。
【００２０】
レンズ群２は、物体側Ｌ１から鏡筒３に収容されることから、第１レンズ２１、第２レンズ２２、第３レンズ２３、第４レンズ２４、第５レンズ２５の順で外径が徐々に小さくなっている。第１〜第５レンズ２１〜２５は、各々、ガラスレンズまたはプラスチックレンズからなる。本構成では、第１レンズ２１がガラスレンズで、第２〜第５レンズ２２〜２５がプラスチックレンズである。
【００２１】
（鏡筒３の構成）
鏡筒３は樹脂成形品であって、レンズ群２が収容されるレンズ室を内部に備えた鏡筒本体３０と、鏡筒本体３０の外周面７０（外周枠）から像側Ｌ２に延出する矩形枠状のスカート部３３とを一体に有する。スカート部３３は、主にレンズケースの機能を実現するための構成の一部である。
【００２２】
具体的には、鏡筒本体３０には、レンズ群２を構成する各レンズの外周面に沿いながら像側Ｌ２に向かって内周面（レンズ室）が形成されている。ここでは、物体側Ｌ１の第１レンズ筒部３１と像側Ｌ２の第２レンズ筒部３２とが、それらの内周面（すなわちレンズ室）を連通して形成され、第２レンズ筒部３２の外周側は厚肉部３９となっている。
【００２３】
第１レンズ筒部３１の内周面３１１（レンズ室）の像側Ｌ２の端部に形成された平坦面の底部５０と第２レンズ筒部３２の内周面３２１（レンズ室）の物体側Ｌ１の端部は段差状に繋がっている。
【００２４】
底部５０には、物体側Ｌ１から像側Ｌ２に向かって所定深さで肉抜きした円周溝３４が、第２レンズ筒部３２の物体側Ｌ１の開口を囲むように環状に形成されている。
【００２５】
底部５０には、第１レンズ筒部３１の内周面３１１側の環状の平坦面５１と、平坦面５１から円周溝３４側（すなわち径方向内側）に張り出す複数の張り出し部５２（膨出部）と、張り出し部５２と張り出し部５２の間に複数の凹部５３が形成されている。
【００２６】
Ｏリングからなるシール部材７が嵌め込まれた第１レンズ２１が、張り出し部５２に載置される。すなわち、張り出し部５２により第１レンズ２１の光軸方向の位置決めがなされる。その後に、第１レンズ筒部３１の物体側Ｌ１の端部に形成されたカシメ部３８により第１レンズ２１の外周部分を固定する。
【００２７】
カシメ部３８には、９０度間隔で４つのＶ溝８０が形成されている。詳細は後述するが、Ｖ溝８０は、高圧洗浄によって、高い水圧の水がレンズ群２（すなわち第１レンズ２１）に吹き付けられたとき、カシメ部３８と第１レンズ２１との間に浸入した水を排出する機能を有する。カシメ部３８は、カシメ工程前（射出成形時やその後の加工工程）に形成されてもよいし、カシメ工程後に形成されてもよい。
【００２８】
第２レンズ筒部３２の像側Ｌ２側には、その内周面３２１より小径であって第５レンズ２５が収容される第５レンズ収容部３２５が形成されている。
【００２９】
内周面３２１には、周方向に等間隔で複数の調芯用突出部３２２が径方向内側に凸状（膨出した形状）で形成されている。調芯用突出部３２２に、レンズ群２を構成するレンズのうち、第２〜４レンズ２２〜２４が圧入（一般には軽圧入）され、かつ、それらの外周面が第２レンズ筒部３２の内周面３２１（調芯用突出部３２２）に支持されることにより径方向に位置決めされている。
【００３０】
ここで、接合レンズ２６を構成する物体側Ｌ１のレンズ素子である第４レンズ２４は、像側Ｌ２の外縁部分（像側フランジ外周面の周縁領域）が、第２レンズ筒部３２の底部において周方向内側に延びる環状の載置面３１５に載置される。第４レンズ２４に接合している第５レンズ２５は、鏡筒本体３０（第２レンズ筒部３２（第５レンズ収容部３２５））に対して非接触状態にある。
【００３１】
また、第３レンズ２３における像側Ｌ２の面の周縁に形成された平坦部が、絞りを介して第４レンズ２４の物体側Ｌ１の面の周縁に形成された平坦部に載置される。また、第２レンズ２２における像側Ｌ２の面の周縁に形成された平坦部が、遮光板を介して第３レンズ２３の物体側Ｌ１の面の周縁に形成された平坦部に載置される。また、第２レンズ２２の物体側Ｌ１の面の周縁が第２レンズ筒部３２の物体側Ｌ１の内周面３２１の端部に設けられたカシメ部３７に係止される。
【００３２】
このような構成により、載置面３１５を基準として、第２レンズ２２〜第５レンズ２５の光軸Ｌ方向の位置決めがなされる。
【００３３】
（Ｖ溝の排水機能）
図５は第１レンズ２１とカシメ部３８とによるカシメ領域を拡大して示した断面図である。主に図３〜図６を参照して、カシメ部３８に形成されているＶ溝８０の詳細を説明する。
【００３４】
第１レンズ筒部３１は、シール部材７よりも物体側Ｌ１で第１レンズ２１の外周面２１１を囲む。具体的には、第１レンズ２１の外周面２１１のうち、上側（物体側Ｌ１）の上側外周面２１１ａで第１レンズ筒部３１の内周面３１１に当接しており、上側外周面２１１ａより内側に小径となった下側外周面２１１ｂにシール部材７が嵌め込まれる。カシメ部３８は、第１レンズ保持用筒部３１の物体側Ｌ１の端部で第１レンズ２１の物体側端部２１２を物体側Ｌ１から被さって第１レンズ２１を保持する。
【００３５】
カシメ部３８は、第１レンズ２１の物体側レンズ面２１ａの外周端部２１２の一部（露出領域２１２ａ）が露出するように切り欠かれた排水機構であるＶ溝８０を備える。本実施形態では、図示のように、Ｖ溝８０は、９０度間隔で４箇所に、カシメ部３８の先端部分３８１から径方向外側に向かって所定長だけＶ字状に切り欠いて形成されている。
【００３６】
このような構成とすることで、第１レンズ２１の物体側端部とカシメ部３８との間、より具体的には、カシメ部３８が覆い被さり押さえている物体側レンズ面２１ａの物体側端部２１２（外縁領域）に浸入した高圧水流は、４箇所のＶ溝８０から積極的に排出される。このため、第１レンズ２１の物体側端部２１２とカシメ部３８との間において水圧が高まることを抑制でき、水圧によってカシメ部３８が破損してしまうことを抑制できる。
【００３７】
Ｖ溝８０の数は、４箇所に限定するものではないが、複数であることが望ましく、さらに、４箇所以上であって隣り合うＶ溝８０の周方向の位置関係が９０度以下であると、排水機構の効果が十分に得られ、カシメ部３８によるカシメ構造の破壊防止の機能が高まる。すなわち、カシメ部３８と第１レンズ２１の物体側端部２１２との間には、周方向で９０度以下でずれた位置に、Ｖ溝８０によって露出領域２１２ａがあるため、浸入した水はそれ以上回り込むことなく排出される。Ｖ溝８０を５箇所以上に設ける場合、等間隔で設けてもよいし、不等間隔の場合では、９０度以下の間隔とすることが望ましい。
【００３８】
このとき、Ｖ溝８０のＶ字先端は、第１レンズ筒部３１の内周面３１１よりも径方向内側、言い換えると、第１レンズ２１の外周面２１１よりも径方向内側に位置している。したがって、第１レンズ筒部３１の内周面３１１と第１レンズ２１の外周面２１１の境界より径方向内側で、排水が行われるので、その境界が高圧水流に直接晒されることなく、レンズユニット１内部への水浸入を防止できる。
【００３９】
Ｖ溝８０を光軸方向と直交する方向から見たとき、Ｖ溝８０の径方向の幅Ｔ１（図５参照）は、カシメ部３８のカシメ領域の径方向の幅Ｔ２の１／２以上を有して形成されていることが好ましい。このようにすることで、レンズユニット１内部への水浸入防止機能をより効果的に機能する。カシメ領域の奥の方（すなわち第１レンズ筒部３１の内周面３１１の方）に浸入した高圧水流を更に積極的に排出できる。このため、第１レンズ２１の物体側端部２１２とカシメ部３８との間において水圧を低く抑えることができるので、水圧によってカシメ部３８が破損されることを更に抑制できる。
【００４０】
なお、Ｖ溝８０を物体側Ｌ１から見たときのＶ溝８０の先端部分のＶ字の角度θは、概ね６０〜１２０度であることが望ましい。この範囲とすることで、十分な排出効果とカシメ構造を両立させることができる。また、Ｖ溝８０の先端部分の深さ方向の角度は、垂直であってもよいが、斜め外上方向（すなわち寝ている角度）が好ましい。
【００４１】
以上、本実施形態の特徴を纏めると次の通りである。
本発明のレンズユニット１は、複数のレンズ２と、複数のレンズ２を収容した樹脂製の鏡筒３と、複数のレンズ２のうち最も物体側Ｌ１に位置する第１レンズ２１と鏡筒３との間に介在するシール部材７と、を有する。鏡筒３は、シール部材７よりも物体側Ｌ１で第１レンズ２１の外周面２１１を囲む第１レンズ保持用筒部３１と、第１レンズ保持用筒部３１の物体側Ｌ１の端部で第１レンズ２１の物体側端部２１２を物体側Ｌ１から被さって第１レンズ２１を保持するカシメ部３８と、を備える。カシメ部３８は、外周端部２１２が露出するように切り欠かれた排水機構（すなわちＶ溝８０）を備えている。このような構成により、高圧洗浄等によりレンズユニットに高圧水流を受けた場合であっても、カシメ部３８が第１レンズ２１の外周端部２１２を押さえているカシメ構造が破壊されることなく、適切にその機能を保持することができる。その結果、レンズユニット１の所望の防水性能を維持することができる。すなわち、第１レンズ２１の物体側端部とカシメ部３８との間、すなわち、カシメ部３８が覆い被さり押さえている物体側レンズ面２１ａの物体側端部２１２（外縁領域）に浸入した高圧水流は、排水機構であるＶ溝８０から積極的に排出される。このため、第１レンズ２１の物体側端部２１２とカシメ部３８との間において水圧が高まることを抑制でき、水圧によってカシメ部３８が破損してしまうことを抑制できる。
【００４２】
排水機構であるＶ溝８０は、第１レンズ２１の外周面２１１よりも径方向内側で形成されている。第１レンズ２１の物体側端部２１２とカシメ部３８との間に浸入した高圧水流が、第１レンズ２１の外周面２１１（すなわちレンズ側面）と第１レンズ保持部用筒部３１との間に浸入することを抑制することができる。
【００４３】
排水機構であるＶ溝８０は、カシメ部３８の先端部分３８１に形成されている。第１レンズ２１の物体側端部２１２とカシメ部３８との間に浸入した高圧水流によって、カシメ部３８は、カシメ部３８において厚みの薄い先端部分３８１から破損（めくれあがる）してしまう。しかし、排水機構であるＶ溝８０をカシメ部３８の先端部分３８１に形成することで、第１レンズ２１の物体側端部２１２とカシメ部３８の特に先端部分３８１の間において水圧が低く抑えられるため、水圧によってカシメ部３８が破損してしまうことを効果的に抑制できる。
【００４４】
排水機構（Ｖ溝８０）は、光軸方向と直交する方向から見たとき、カシメ部３８のカシメ領域の径方向半分以上の幅（図５では幅Ｔ１）を有して形成されている。すなわち、物体側Ｌ１から見たとき、排水機構であるＶ溝８０が、カシメ部３８が押さえている領域（物体側端部２１２）の径方向半分以上の幅でもって形成されている第１レンズ２１の物体側端部２１２とカシメ部３８との間に浸入した高圧水流を更に積極的に排出できる。このため、第１レンズ２１の物体側端部２１２とカシメ部３８との間において水圧を低く抑えることができるので、水圧によってカシメ部３８が破損されることを更に抑制できる。
【００４５】
カシメ部３８が被さる第１レンズ２１の物体側端部２１２は、第１レンズ２１の物体側レンズ面２１ａの外周側端部である。直接レンズ面をカシメる構造の場合、カシメ部３８の先端部分３８１と物体側レンズ面２１ａとの境界に形成される袋小路形状において高圧水の影響を受けやすく、水の浸入が起きやすいため、排水機構のＶ溝８０を設けることで、高圧水の影響を抑制できる。
【００４６】
前記排水機構は、カシメ部３８の先端部分３８１から径方向の外側に向かって切り込まれた溝であってもよい。溝は、Ｖ溝でもよいし、Ｕ字溝でもよい。また、形成位置によって異なる形状の溝でもよい。
【００４７】
排水機構（Ｖ溝８０）は複数形成されており、隣り合う排水機構（Ｖ溝８０）の周方向の位置関係が９０度以下であってもよい。言い換えると、排水機構（Ｖ溝８０）は４箇所以上に９０度以下の間隔で形成されている。例えば、排水機構としてＶ溝８０を４箇所の場合、Ｖ溝８０は９０度間隔で形成される。５箇所の場合、７２度間隔で形成されてもよいし、４箇所を９０度間隔で形成し、残りの１箇所を任意の場所に形成してもよい。
【００４８】
以上、本発明を、実施の形態をもとに説明したが、この実施の形態は例示であり、それらの各構成要素の組み合わせ等にいろいろな変形例が可能なこと、またそうした変形例も本発明の範囲にあることは当業者に理解されるところである。
【００４９】
図６は、変形例に係る排水機構を示している。図６（ａ）で示す例では、排出機構の形状として上面視で先端部分３８１からＵ字状に切り込まれたＵ字溝８０Ａによって、略半円の露出領域２１２ａが形成している。また、図６（ｂ）で示す例では、カシメ領域において、上面視で略長方形の中抜きで形成された貫通溝８０Ｂによって、露出領域２１２ａが形成されている。このような排水機構においても、カシメ部３８と第１レンズ２１の物体側端部２１２の間に浸入した高圧水を効果的に排出でき、カシメ部３８の損傷を防止できる。
【符号の説明】
【００５０】
１  レンズユニット
２  レンズ群
３  鏡筒
７  シール部材
２１  第１レンズ
２２  第２レンズ
２３  第３レンズ
２４  第４レンズ
２５  第５レンズ
２６  接合レンズ
３０  鏡筒本体
３１  第１レンズ筒部
３７、３８  カシメ部
５０  底部
５１  平坦面
５２  張り出し部
５３  凹部
８０  Ｖ溝（排水機構）
８０Ａ  Ｕ字溝（排水機構）
８０Ｂ  貫通溝（排水機構）
２１１  外周面
２１２  物体側端部
２１２ａ  露出領域
３１１  内周面
３８１  先端部分
Ｌ  光軸
Ｌ１  物体側
Ｌ２  像側
【図１】
2020030386.tif 000003
【図２】
2020030386.tif 000004
【図３】
2020030386.tif 000005
【図４】
2020030386.tif 000006
【図５】
2020030386.tif 000007
【図６】
2020030386.tif 000008